(57)【要約】【課題】防音性を保ちつつ、簡素な工程によって製造可能な出窓を提供することである。【解決手段】予め建物の躯体の所定部分に窓２０が設けられていて、その窓２０のある所定部分に外部から上材１１、下材１２、連結部材１３ａ、１３ｂ、１４ａ，１４ｂ、板１５、網目状の板１６ａ、１６ｂの各部材によって構成される出窓を穴１１−１、１２−１を介して取り付ける。各部材は、その寸法を窓の寸法に基づいて決められ、加工されて得られる。【選択図】  図１
2004204610.tif 000002
【特許請求の範囲】
【請求項１】
建物の躯体に取り付ける、または取り付けた窓に対応して、外側から取り付けられることを特徴とする出窓。
【請求項２】
建物の躯体に取り付ける、または取り付けた窓に対応して、外側から取り付けられ、
前記窓の寸法に対応する寸法を有する、上枠、下枠、及び前記上枠と下枠の間を連結する複数の連結部材から成る各部材を備えることを特徴とする出窓。
【請求項３】
前記上枠、下枠、及び複数の連結部材の間を通気性の良好な枠を含んで構成することを特徴とする請求項２記載の出窓。
【請求項４】
建物の躯体に取り付ける、または取り付けた窓に対応して、外側から出窓を取り付ける方法において、
前記窓の寸法に基づいて前記出窓を構成する各部材を加工し、
前記窓の位置に対応して前記加工された各部材を外側から取り付けることを特徴とする出窓の取付方法。
【請求項５】
建物の躯体の所定部分に取り付けられる出窓と、
前記出窓の取付け位置に対応して、前記出窓より建物の内側に取り付けられ、前記出窓との間の空間を建物内部に対し選択的に開閉する窓とを備えることを特徴とする二重窓。
【請求項６】
建物の躯体の所定部分に出窓を取り付け、
前記出窓の取付け位置に対応して、前記出窓より建物の内側に、前記出窓との間の空間を建物内部に対し選択的に開閉する窓を取り付けることを特徴とする二重窓の取付方法。
【発明の詳細な説明】
【０００１】
【発明の属する技術分野】
本発明は、建物の躯体の所定部分に既に取り付けられている窓に外側から取り付けられる出窓、及びその取付け方法に関する。
【０００２】
【従来の技術】
従来、建物の躯体に取り付けられる出窓には様々な出窓があり、それぞれに目的とするところが異なる。
そのような目的の１つとしては、例えば下記特許文献１に記載されるように、防音性を有する出窓を得ることが挙げられる。
【０００３】
また、もう１つの目的としては、例えば下記特許文献２に記載されるように、開閉動作を容易に行えるようにすることで、通気性を上げることが挙げられる。
【０００４】
【特許文献１】特開平５−１８７１６９号「窓部構造」
【０００５】
【特許文献２】特開平８−１９３４７６号「出窓」
【０００６】
【発明が解決しようとする課題】
しかしながら、上記したように、出窓の防音性を上げようとした場合、防音効果を有する部材を用いたり、密封性が確保できるような設計を行ったりしなければならない。
【０００７】
また同様にして、出窓の開閉動作を容易に行うことによって、良好な通気性を得る場合においても、上記開閉動作を容易に行うようにするための機構において工夫をする必要があり、機構上、ある程度複雑化せざるを得ない。
そしてその結果として、これらのいずれの場合においても、出窓の製造工程としてはある程度複雑なものとなってしまうという問題がある。
【０００８】
本発明の課題は、防音性を保ちつつ、簡素な工程によって製造可能な出窓を提供することである。
本発明の別の課題は、開閉動作が容易に行え、かつ、簡素な工程によって製造可能である二重窓を提供することである。
【０００９】
【課題を解決するための手段】
本発明は、上記課題を解決するため、下記のような構成を採用した。
すなわち、本発明の一態様によれば、本発明の出窓は、建物の躯体に取り付ける、または取り付けた窓に対応して、外側から取り付けられる構成である。
【００１０】
ここで、上記窓によって、防音性を確保できるので、その窓に外側から取り付けられる出窓については、防音性、密封性などを考慮せずに簡素な構成によって取り付けることができる。
尚、出窓と窓とを建物の躯体の所定部分に並行して取り付けるようにしてもよい。このようにして得られる、窓と出窓とを備える二重窓においては、その出窓を構成する部材（上材、下材、連結部材）の間を良好な通気性を有する部材を含んで構成すれば、出窓と窓の間の空間は常時、良好な通気性を有することになるので、窓の開閉によって室内の換気が行えることになり、出窓のいずれかの部材を開閉する場合に比較して容易に開閉動作を行うことが可能となる。
【００１１】
【発明の実施の形態】
以下、本発明の実施の形態を、図面を参照しながら詳細に説明する。
図１は、本発明の一実施形態の出窓の正面図、及び背面図を示す図であり、（ａ）は正面図を、（ｂ）は背面図を、それぞれ示す図である。また、図２は上下方向から見た横断面を示す図であり、（ａ）は上面図を、（ｂ）は底面図を、（ｃ）はその上面と底面の間の横断面を、それぞれ示す図である。また、図３は左右方向から見た縦断面を示す図であり、（ａ）は右側面を、（ｂ）は左側面を、（ｃ）は、左方向から見た図２の矢印ＡとＢの間のいずれかの地点での縦断面を、それぞれ示す図である。
【００１２】
この出窓１０は、上材１１、下材１２、及びそれら上材１１と下材１２とを連結する連結部材１３ａ、１３ｂ、１４ａ、１４ｂによって構成されている。そして、上記上材１１、下材１２、及び連結部材１３ａ、１３ｂ、１４ａ、１４ｂの間を、光透過性を有する板１５、網目状の板１６ａ、１６ｂによって構成する。尚この出窓１０は、例えばステンレス板などの錆が出にくいものを用いることが望ましい。
【００１３】
本実施形態においては、予め建物の躯体の所定部分に窓２０（図５参照）が設けられていて、その窓２０のある所定部分に外部から出窓を取り付ける。
図４は、その出窓１０を取り付ける際の工程を示すフローチャートである。
図４において、ステップＳ１で、予め建物の躯体の所定部分に設けられている窓２０の寸法を計測すると共に、その窓２０の寸法に基づいて、出窓１０を構成する各部材（上記上材１１、下材１２、連結部材１３ａ、１３ｂ、１４ａ、１４ｂを含む）の寸法を決め、そのようにして決められた寸法に基づいて各部材の加工を行い、各部材を得る。
【００１４】
続いて、ステップＳ２において、上材１１、下材１２を連結部材１３ａ、１３ｂ、１４ａ、１４ｂを介して溶接等により接合し、その後、光透過性を有する透明なプラスティックなどの材料で作られた板１５と、所定の材料にて作られた網目状の板１６ａ、１６ｂを内側から取り付けて、出窓１０を得る。そして、ステップＳ３で、出窓１０の上材１１と下材１２に設けられている穴１１−１、１２−１（図１（ａ）（ｂ）参照）と、建物の躯体の対応する位置に設けられている穴１１−２、１２−２（図５参照）とを介して、ネジなどの固定具により出窓１０を建物の躯体の窓２０が設けられている所定部分に外側から取り付けることで、出窓１０の取り付け工程が終了する。尚、図６は、建物の躯体の窓２０が設けられている所定部分に外側から取り付けられた出窓１０の斜視図である。
【００１５】
ここで、網目状の板１６ａ、及び１６ｂは良好な通気性を有するので、窓２０と出窓１０との間の空間において、良好な通気性が得られ、例えば盆栽、観葉植物などを置くのに適した空間となる。また、防音性や密封性については、建物の内部と外部との間には、窓２０が設けられているので、窓２０を閉めることで、防音対策などを行うことができる。このことより、出窓１０を、上記防音性、密封性をそれほど考慮せずに（例えば防音効果を持つ素材などを用いずに）、簡素な工程によって製作することができる。また、窓の開閉によって室内の換気を行うので、出窓のいずれか部材を開閉して換気を行なう従来の場合に比較して開閉動作を容易に行うことができる。尚、網目状の板１６ａ、及び１６ｂの材料としては例えば、エクスパンドメタル（パンチング板）などが望ましい。
【００１６】
尚、以上の説明においては、出窓１０は、建物の躯体の所定部分に予め設けられている窓２０に対して後付けで取り付けられる構成であったが、出窓１０と窓２０とを建物の躯体の所定部分に並行して取り付けるようにしてもよい。この場合においても、上記した窓２０と出窓１０との間の空間の通気性の良さや、出窓１０の部分については、上記防音性、密封性をそれほど考慮せずに済み、したがって、出窓１０を簡素な工程によって製作できることなどの利点は、同様に成立する。
【００１７】
【発明の効果】
以上説明したように、本発明によれば、防音性を保ちつつ、簡素な工程によって製造可能な出窓を提供することができる。このような出窓を用いれば特にリフォーム時などに、出窓を取り付けることが簡素にして安価に実現できる。
【００１８】
また、本発明によれば、開閉動作が容易に行え、かつ、簡素な工程によって製造可能である二重窓を提供することができる。
【図面の簡単な説明】
【図１】本発明の一実施形態の出窓の正面図、及び背面図を示す図であり、（ａ）は正面図を、（ｂ）は背面図を、それぞれ示す図である。
【図２】本発明の一実施形態の出窓の上下方向から見た横断面を示す図であり、（ａ）は上面図を、（ｂ）は底面図を、（ｃ）はその上面と底面の間の横断面を、背面図を、それぞれ示す図である。
【図３】本発明の一実施形態の出窓の左右方向から見た縦断面を示す図であり、（ａ）は右側面を、（ｂ）は左側面を、（ｃ）は、左方向から見た縦断面を、それぞれ示す図である。
【図４】出窓を取り付ける際の工程を示すフローチャートである。
【図５】本発明の一実施形態の出窓が取り付けられる建物の躯体の所定部分に設けられた窓を示す図である。
【図６】建物の躯体の窓が設けられている所定部分に外側から取り付けられた出窓の斜視図である。
【符号の説明】
１０  出窓
１１  上材
１２  下材
１３ａ，１３ｂ，１４ａ，１４ｂ  連結部材
１５  （光透過性の）板
１６ａ，１６ｂ  網目状の板
【図１】
2004204610.tif 000003
【図２】
2004204610.tif 000004
【図３】
2004204610.tif 000005
【図４】
2004204610.tif 000006
【図５】
2004204610.tif 000007
【図６】
2004204610.tif 000008